(57)【要約】【課題】　衝撃時に歩行者の安全を改善するヘッドライトをコンパクトにする。【解決手段】　本発明は、少なくとも１つの光源を囲み、シャーシに固定されたケーシングと、ヘッドライトをリンクし、特にケーシングをシャーシにリンクし、ヘッドライトが受ける衝撃エネルギーの少なくとも一部を破断の際に吸収できるようになっている脆弱手段とを備える自動車用ヘッドライトに関する。【選択図】　図１
2004115007.tif 000002
【特許請求の範囲】
【請求項１】
　少なくとも１つの光源（３）を囲み、シャーシ（６）に固定されたケーシング（２）を備える自動車用ヘッドライトにおいて、
　ヘッドライト（１）をリンクし、ケーシング（２）をシャーシ（６）にリンクし、ヘッドライト（１）が受ける衝撃エネルギーの少なくとも一部を破断の際に吸収できるようになっている脆弱手段（７）を備える自動車用ヘッドライト。
【請求項２】
　前記リンク手段（７）が、少なくとも１つの所定の破断ゾーンを備えている、請求項１記載のヘッドライト。
【請求項３】
　前記ケーシング（２）が、前記破断ゾーンの近くにおいて、機械式に補強されている、請求項２記載のヘッドライト。
【請求項４】
　前記リンク手段（７）が、前記ヘッドライト（１）を受ける衝撃中に順次破壊できる一連の所定の破断ゾーンを備え、該破断ゾーンが、互いに隣接している、請求項３記載のヘッドライト。
【請求項５】
　前記リンク手段（７）が、前記ケーシング（２）と前記シャーシ（６）との間に挟持された補強部（８）を備え、該補強部に前記ケーシング（２）を支持した結果、順次破壊できる一連のカラー（２１ａ）〜（２１ｃ）が設けられている、請求項４記載のヘッドライト。
【請求項６】
　前記補強部（８）のカラーを有する部分（２０）の長さが２０〜１５０ｍｍの間、好ましくは２０〜５０ｍｍの間である、請求項５記載のヘッドライト。
【請求項７】
　前記リンク手段（７）が、一方でランナー（３６）に移動自在に取り付けられたクリート（２２）と、他方の、ヘッドライト（１）が受ける衝撃中に前記クリート（２２）により順次破壊される１列のストッパー（３１ａ）〜（３１ｄ）とを備えている、請求項４記載のヘッドライト。
【請求項８】
　前期クリート（２２）が、前記シャーシ（６）によって支持され、前記ランナー（３６）および前記ストッパー（３１ａ）〜（３１ｄ）が、前記ケーシング（２）によって支持されている、請求項７記載のヘッドライト。
【請求項９】
　前記ストッパー（３１ａ）〜（３１ｄ）が、前記ケーシング（２）から突出する仕切板によって形成されている、請求項８記載のヘッドライト。
【請求項１０】
　前記クリート（２２）が増設部品である、請求項８または９記載のヘッドライト。　
【請求項１１】
　前記リンク手段（７）が、前記ヘッドライト（１）の受ける衝撃の作用により引き裂きできる固定部材（３９）を備えている、請求項１〜３のいずれかに記載のヘッドライト。
【請求項１２】
　前記固定部材（３９）が、前記ヘッドライト（１）の受ける衝撃中に順次引き裂きできる一連のゾーンを含む、請求項１１記載のヘッドライト。
【請求項１３】
　前記固定部材（３９）が、前記ヘッドライト（１）の受ける衝撃中に順次引き裂きできるゾーンを含む、請求項１１記載のヘッドライト。
【請求項１４】
　前記固定部材（３９）が、前記ケーシング（２）および前記シャーシ（６）にそれぞれ固定された２つの部品（４０）、（４１）を備え、前記部品（４０）、（４１）が、前記部品（４０）、（４１）のうちの少なくとも１つに加えられるけん引作用により破壊できる、脆弱ブリッジ（４２ａ、ａ’）〜（４２ｄ、ｄ’）の少なくとも１つのシリーズ（４２）によって接続されている、請求項１１または１２記載のヘッドライト。
【請求項１５】
　前記１つの部品が、脆弱ブリッジ（４２ａ、ａ’）〜（４２ｄ、ｄ’）の２つの平行なシリーズ（４２）によって接続されている、請求項１４記載のヘッドライト。
【請求項１６】
　前記固定部材（３９’）が、前記ケーシング（２）および前記シャーシ（６）にそれぞれ固定された少なくとも２つの部品（４０’）、（４１’）を備え、該部品（４０’）、（４１’）が、それらの全長のすべてまたは一部にわたって、ノッチ（４２’）によって境界が定められており、該ノッチが、前記部品の一方に加えられるけん引力の作用により、２つの部品（４０’）と（４１’）との間の引き裂きをガイドするようになっている、請求項１３記載のヘッドライト。
【請求項１７】
　前記固定部材（３９’）が、３つの隣接する部品（４０’）、（４０”）、（４１’）を備え、そのうちの中間部品（４１’）が、ノッチ（４２’）、（４２”）により他の２つの部品（４０’）、（４０”）に対して境界が定められている、請求項１６記載のヘッドライト。
【請求項１８】
　前記ケーシング（２）が、前記脆弱ブリッジ（４２ａ、ａ’）〜（４２ｄ、ｄ’）の破断中、またはノッチ（４２’）（単数または複数）に沿った引き裂きの間に前記シャーシ（６）に対する自己の変位をガイドするための手段（５６）、（５７）、（５９）を備えている、請求項１４または１５のいずれかに記載の変位。
【請求項１９】
　前記脆弱ブリッジ（４２ａ、ａ’）〜（４２ｄ、ｄ’）が、断面が小さくなっていることにより、その機械的強度が局部的に小さくなっている、請求項１４、１５または１８のいずれかに記載のヘッドライト。
【請求項２０】
　前記ガイド手段（５６）、（５７）、（５９）が、前記ケーシング（２）と前記シャーシ（６）との間の枢動リンク（５５）を形成している、請求項１８記載のヘッドライト。
【請求項２１】
　前記リンク手段（７）が、自動車の機能部材（６０）を備えている、請求項１または２記載のヘッドライト。
【請求項２２】
　前記機能部材（６０）が、エアフィルタである、請求項１６記載のヘッドライト。
【請求項２３】
　前記機能部材（６０）が、スクリーンワッシャー液体タンクである、請求項１６記載のヘッドライト。
【請求項２４】
　前記脆弱要素（７）が、前記ヘッドライト（１）を受ける衝撃エネルギーの一部しか吸収せず、前記脆弱要素が、発泡タイプの少なくとも１つの圧縮要素（６４）に関連する、請求項１〜２３のいずれかに記載のヘッドライト。
【発明の詳細な説明】
【技術分野】
【０００１】
　本発明は、少なくとも１つの光源を囲み、シャーシに固定されたケーシングを備える自動車用ヘッドライトに関する。
【背景技術】
【０００２】
　歩行者が関係する事故では、歩行者は、自動車のヘッドライトの１つに衝突することが多いので、ヘッドライトは、その位置により、自動車の受動的安全性において主要な役割を果たすことが知られている。
【０００３】
　平均的な体格の成人の歩行者の場合、ヘッドライトに直接接触する身体部分は腰部であり、この接触は、下肢の機能に深刻な結果を与えることがある。
【０００４】
　子どもの場合、ヘッドライトに衝突するのは、子どもの頭部であるので、衝突の結果については、詳細に語るまでもないと思う。
【０００５】
　自動車メーカーは、これらの問題を自覚し、ヘッドライトによる衝撃の際に、個人が受ける障害を低減しようとする解決案を既にいくつか提案している。
【０００６】
　特に、フランス国特許第FR-2501334号、またはその対応米国特許第4,475,148号を参考とすることができる。
【０００７】
　公開番号第BE-10030373号として公開されたドイツ国特許出願も、参考とすることができる。
【０００８】
　これら特許明細書に記載されている解決案は、衝撃エネルギーの一部を吸収するための弾性手段を、ヘッドライトと自動車の構造体との間に介在させることを提案するものである。
【発明の開示】
【発明が解決しようとする課題】
【０００９】
　これらの解決案は、商業的な成功をおさめているが、それにも拘わらず、いくつかの欠点を有している。
【００１０】
　他方、歩行者に対して、これらの解決案が保証する安全性は、特に機関、例えばＥＥＶＣ（欧州自動車安全性向上委員会）または欧州ＮＣＡＰ（欧州新車評価プログラム）によって定められた受動的安全性に関する新規格に関連して向上できる。
【００１１】
　これらの機関が直接諮問できるこれらの規格は、極端に要求が大きいものである。
【００１２】
　他方、公知の解決案は、かなり複雑であり、その大部分は、ヘッドライトの総合的設計を完全に改良しなければならない。これを行うには、かなりの人的、技術的および金銭的手段を必要とし、詳細に打ち合わせしなければ、計画が必要となるがこのような計画は自動車メーカーの要求と両立できないことが多い。
【００１３】
　更に公知のヘッドライトは、かなり嵩ばり、そのため、市場のシェアの主要部分を占めるコンパクト自動車のフードの下で利用できる余裕と両立できないことになる。
【００１４】
　本発明は、新しい受動的な安全性規格を満たす際に、コンパクトであると同時に、比較的簡単な設計であり、かつ照明および美的の観点から、通常の要求を満たしながら、衝撃時に歩行者の安全を改善するヘッドライトを提案するもので、公知のヘッドライトの上記欠点を軽減しようとするものである。
【００１５】
　この目的のために本発明は、少なくとも１つの光源を囲み、シャーシに固定されたケーシングだけでなく、ヘッドライトをリンクし、ケーシングをシャーシにリンクし、ヘッドライトが受ける衝撃エネルギーの少なくとも一部を、破断の際に吸収できるようになっている脆弱手段を備える自動車用ヘッドライトを提案するものである。
【００１６】
　本明細書においては、ヘッドライトなる用語は、任意の自動車用の照明／信号表示手段を意味するものである。
【００１７】
　ヘッドライトの構造を完全には、改良する必要はないので、実質的な節約を行うことができる。
【００１８】
　更に、このヘッドライトは、エネルギー吸収手段の欠如した従来のヘッドライトの嵩と等価的である。
【００１９】
　少なくとも１つの所定の破断ゾーン、すなわち、好ましくはヘッドライトから受ける衝撃中に連続的に破断し得る一連の所定の破断ゾーンをリンク手段に設けることによって、エネルギーの吸収を最適にすることが可能であり、これらの破断ゾーンは、互いに隣接している。
【課題を解決するための手段】
【００２０】
　一実施例においては、前記リンク手段は、前記ケーシングと前記シャーシとの間に挟持された補強部を備え、該補強部に、前記ケーシングを支持して、順次破壊できる一連のカラーが設けられている。
【００２１】
　別の実施例においては、リンク手段は、一方で固定クリートを備え、この固定クリートの一端またはゾーンは、衝撃時に、ランナーにおいて離散的に連続するステップで後退できるようになっており、リンク手段は、ヘッドライトが受ける衝撃中にクリートの前記端部／ゾーンにより順次破壊される１列のストッパーを備えている。（通常の使用中は、前記端部またはゾーンは、ランナータイプの要素内で移動できないことが好ましい。）
【００２２】
　これら種々のタイプの脆弱要素は、衝撃によって生じるエネルギーの主要部分を吸収できることが好ましい。
【００２３】
　クリートは、シャーシによって支持でき、他方、ランナーおよびストッパーは、ケーシングによって支持できる。より詳細には、これらのストッパーは、ケーシングから突出する仕切板によって形成され、他方クリートは、例えば増設部品である。
【００２４】
　変形例として、リンク手段は、ヘッドライトが受ける衝撃の作用により引き裂き可能な固定部材を含むことができる。
　この固定部材は、ケーシングおよびシャーシにそれぞれ固定された２つの部品を備え、これらの部品は、前記部品のうちの少なくとも１つに加えられるけん引作用により破壊できる、少なくとも１つのシリーズの脆弱ブリッジによって接続されている。
【００２５】
　これら２つの部品は、２つの平行なシリーズの脆弱ブリッジによって接続されている。
【００２６】
　更にケーシングは、脆弱ブリッジの破断中にシャーシに対する自己の変位をガイドするための手段を含むことができる。このガイド手段は、例えばケーシングとシャーシとの間の枢動リンクを形成する。
【００２７】
　別の変形例によれば、リンク手段は、自動車の機能部材、例えば空気フィルタまたはスクリーンワッシャー液体タンクを含んでいる。
【００２８】
　以下、添付図面を参照しながら、単なる例として示した次の詳細な説明を読めば、本発明について、良く理解できると思う。
【発明を実施するための最良の形態】
【００２９】
　図１は、自動車用ヘッドライト１を示している。このヘッドライト１は、所定の数の内部構成部品を囲むケーシング２を備えている。構成部品として、光源３と、光源３が発する光を拡散するようになっている反射器４とが挙げられる。
【００３０】
　ヘッドライト１は、更にケーシング２に取り付けられた透明ガラスシールド５を備え、シールド５は、カバー状にケーシング２を囲み、光源３が発する光を透過しながら、内部の構成部品３および４を保護するようになっている。
【００３１】
　ケーシング２は、自動車のシャーシと一体化されたシャーシ６に固定されている。障害物、例えば歩行者が前方に衝突する時に、歩行者は、ガラスシールド５に衝突し、ヘッドライト１を押す。
【００３２】
　特に歩行者が受ける外傷を制限するために、ヘッドライト１は、ケーシング２をシャーシ６にリンクする脆弱手段７から成る、衝撃エネルギーの少なくとも一部を吸収するようになっている手段を備えている。以下、これらリンク手段７は、少なくとも１つの所定の破断ゾーンを含んでいることが理解されると思う。
【００３３】
　リンク手段に対し、いくつかの実施例を考え付くことができると思う。
【００３４】
　図１〜３に示す第１実施例によれば、リンク手段７は、ケーシング２とシャーシ６との間に挟持された（ほぼ環状の）補強部８を有する。
【００３５】
　より詳細に説明すれば、ケーシング２には、保護クリート９が設けられており、このクリート９を介して、ケーシング２はシャーシ６に固定されている。各クリート９には孔１０が開けられており、この孔には、ネジ１１が挿入されている。このネジのヘッド１２は、補強部の役割を果たすワッシャー１３を介して、クリート９に当接している。ネジ１１は、更にシャーシ６の薄い壁に係合しており、シャーシ６の壁の反対側で、ネジにナット１４が螺合され、全体を密に維持するようになっている。
【００３６】
　図２および図３から明らかなように、断面がＴ字形をした軸対称の部品１５のカラーにより、ワッシャー１３が形成されている。この部品１５は、アセンブリを一体化するために円筒形シース１６を含み、このシース１６内にはネジ本体が挿入され、シース１６に補強部８が嵌合されている。
【００３７】
　このシースは、シャンク１７を備え、シャンク１７は、このシャンク１７をクリート９の孔１０に挿入する第１円筒形端部部分１８と、シャンク１７をシャーシ６に載せる第２円筒形端部部分１９を有する。
【００３８】
　シャンク１７は、更に２つの端部部分１８と１９との間に中間部分２０を有し、この中間部分２０から、一連の一定に離間した円筒形環状体、すなわちカラー２１ａ、２１ｂ、２１ｃが径方向に突出している。
【００３９】
　本例では、等しく３つに選択されたカラー２１ａ、２１ｂ、２１ｃの数は、２〜５にすることが好ましい。しかしながら、単一カラーは、大きさの小さい衝撃を受け易い。
【００４０】
　図２から明らかなように、第１端部部分１８に隣接するカラー２１ａは、クリート９に対して密着している。従って、クリート９は、取り付け実行時にワッシャー１３とカラー２１ａとの間に密にクランプされている。
【００４１】
　従って、ヘッドライト１が衝撃を受けない限り、ケーシング２は、補強部８によりシャーシ６から一定距離に維持されながら、ケーシング２は、シャーシ６に剛的に固定されている。
【００４２】
　ケーシング２から、カラー２１ａに加えられる力が、カラー２１ａの厚さ、および金属、例えばスチールから製造されている補強部８の材料の性質に応じて決まる所定のスレッショルド値を越えない限り、このギャップは一定のままである。
【００４３】
　カラー２１ａ、２１ｂ、２１ｃを備えた中間部分２０の長さは、２０ｍｍから１５０ｍｍの間であり、好ましくは、２０ｍｍ〜５０ｍｍの間である。より一般的には、この長さは本明細書に記載するすべての実施例の一連の脆弱要素に適用できる。
【００４４】
　ヘッドライト１が衝撃を受ける際に、ケーシング２からカラー２１ａに加えられる力が、このしきい値を越えると、カラー２１ａに対するクリート９の支持により、カラー２１ａとシャンク１７の接合部において、カラー２１ａ（図３参照）の引き裂きを生じさせる引き裂き応力が生じる。このカラーが破断されることにより、衝撃のエネルギーの少なくとも一部が吸収される。
【００４５】
　残留エネルギーが十分である場合、この状況は、次のカラー２１ｂでも再び生じる。この次のカラーに対し、破壊されたばかりのカラー２１ａが当接し、次のカラー２１ｂは、ケーシング２によりシャーシ６の方向に移動され、残留エネルギーの少なくとも一部が、更に吸収される。
【００４６】
　カラー２１ａ、２１ｂ、２１ｃの一連の破断が、ケーシング２の支持により、衝撃の全エネルギーが吸収されるまで、すなわち、カラー２１ａ、２１ｂ、２１ｃのすべてが破壊されるまで生じる。
【００４７】
　従って、衝撃時に、ヘッドライト１は離散的に、すなわち断続的にシャーシ６に向かって後退する。
【００４８】
　補強部８のエネルギー吸収能力を増加させるには、カラー２１ａ、２１ｂ、２１ｃの数を増せば十分である。しかし、カラーの数を増すと、補強部８が長くなり、従って、シャーシ６上でのケーシング２の保持が弱体化する。この場合、大きなエネルギー吸収能力を有しながら、シャーシ６にケーシング２を十分剛性に保持することもできる３つのカラー２１ａ、２１ｂ、２１ｃを有する金属補強部８が使用されている。
【００４９】
　当然ながら、シャーシ６の薄壁（板金）の強度は、カラー２１ａ、２１ｂ、２１ｃの強度よりもかなり大きいので、カラーが破断する間、シャーシ６は無傷のままである。従って、本実施例（本明細書に記載の他の実施例も同様）によれば、脆弱要素の破壊負荷に対し、板金を十分剛性にし、脆弱要素の強度を板金の強度よりも十分小さく維持できる。従って、板金は、これら脆弱要素が破壊される前に変形されないようになっている。必要な場合、特にリブにより板金を剛性にできる。
【００５０】
　図４〜図６に示す第２実施例によれば、ヘッドライト１は、ケーシング２をシャーシ６に固定するための少なくとも１つの、例えば２つの増設クリート２２を含み、これらクリートは板金をブランク加工し、曲げ加工することによって製造される。
【００５１】
　各固定クリート２２は、ベース部分２３を含み、このベース部分を介して、クリート２２はケーシング２に取り付けられている。このベース２３は、２つの平行ブランチ２４、２５を備え、これらブランチは、これらに垂直なコア２６によって接合され、ベース２３は、Ｕ字形となっている。
【００５２】
　固定クリート２２は、他方でクリート端部２７を備え、このクリート端部は、ブランチ２４と２５との間で延び、コア２６に接続し、エルボー形状となり、ベース２３に対して突出し、従って、固定クリート２２はＨ形状の断面を有する。
【００５３】
　このクリート２７は、固定ネジによってシャーシ６に固定されている。この固定ネジは、クリート２７内に設けられた孔２８を貫通し、シャーシ６に係合している。
【００５４】
　ケーシング２は、更に２つの突出する長手方向リブ２９、３０を備え、これらの長手方向リブは、一定の間隔で横方向に延びる１列の平行仕切板３１ａ、３１ｂ、３１ｃ、３１ｄによってリンクされている。これらのリブ２９、３０は、図４から判るように、断面が逆Ｌ字形の２本の平行レール３２、３３の幅だけ、仕切板３１ａ〜３１ｄを越えて延びている。図４では、レール３２の１本が一部切り欠いて示してある。
【００５５】
　レール３２、３３の接続部、およびリブ２９、３０の接続部には、ドッグを形成する２つのセットバック３４、３５が設けられている。このドッグの機能については、後に説明する。
【００５６】
　レール３２、３３は、共にランナー３６を形成し、このランナー内に、固定クリート２２が長手方向に挿入されている。
【００５７】
　ランナー３６は、端部仕切板３１ａ、すなわちレール３２、３３に隣接する仕切板３１ａと共に、ハウジング３７を構成し、このハウジング内に、クリート２２が嵌合されている。クリートの各ブランチ２４、２５には、コア２６と反対の端部に横方向に突出するラグ３８が設けられており、このラグ３８は、レール３２、３３とスライド可能に協働できるようになっている。ケーシング２へのクリート２２の保持は、ブランチ２４、２５とスライドしながら協働するドッグ３４、３５によって補助されている。
【００５８】
　ヘッドライト１が衝撃を受けない限り、クリート２２は、コア２８がクリート２２を係止するためのストッパーを形成する端部仕切板３１ａに当接した状態で、ハウジング３７内に実質的に固定された状態のままである。
【００５９】
　クリート２２が端部仕切板３１ａに対し、仕切板３１ａの厚さに応じて決まる所定のしきい値よりも大きい支持力を加えない限り、この状況は維持される。
【００６０】
　ヘッドライト１により衝撃を受けると、シャーシ６に固定されたクリート２２が、その位置を維持しようと働く間、障害物によって加えられる圧力により、ケーシング２は後退する。
【００６１】
　衝撃の際にケーシング２によって生じる圧縮力の反作用として生じる、仕切板３１ａに対して、クリート２２から加えられる力が、所定のしきい値を越えた場合、仕切板３１ａに当接しているコア２６により、仕切板の引き裂きが生じ、この破断は、衝撃エネルギーの少なくとも一部を吸収する。
【００６２】
　残留エネルギーが不十分であれば、全衝撃エネルギーが吸収されるまで、すなわち、すべての仕切板３１ａ、３１ｂ、３１ｃ、３１ｄが破壊されるまで、クリート２２は、当接する次の仕切板、すなわち、仕切板３１ａ、３１ｂ、３１ｃ、３１ｄに対して、次々にこのような状況が再び生じる。
【００６３】
　従って、衝撃の際に移動可能なクリート２２は、ケーシング２に対して離散的に、すなわち断続的にランナー３６内でスライドする。特に説明しない限り、ケーシング２は、シャーシ６に対して離散的に後退する。
【００６４】
　上記第１実施例と同じように、仕切板３１ａ、３１ｂ、３１ｃ、３１ｄの数を変えることにより、リンク手段７のエネルギー吸収能力を調節することもできる。
【００６５】
　図７〜図９および図１４〜図１７に示す第３実施例においては、リンク手段７は、ヘッドライト１が受ける衝撃の作用により引き裂き可能な、少なくとも１つの、例えば２つの固定部材３９を備えている。
【００６６】
　板金をブランク加工し、曲げ加工することによって製造されたモノブロック状のクリートの形態となっている各固定部材３９は、ケーシング２に固定されたベース部品４０と、シャーシ２に固定するためのクリート４１とを備え、クリート４１は、ベース４０またはクリート４１によって生じるけん引力の作用により破断できる一連の脆弱ブリッジ４２によって、ベース４１に接続されている。
【００６７】
　図７から判るように、実質的に平坦なベース４０は、２つの平行な長手方向ウィング４３、４４を備え、これらのウィングは、ケーシングに固定部品３９を保持するのを可能にするために、ケーシング２上に突出する２つの平行レール４５、４６とそれぞれ協働するようになっている。各レールは断面が、逆Ｌ字形状となっている。
【００６８】
　クリート４１は、Ｕ字状となっている。このクリート４１は、実質的に平行な２つのブランチ４７、４８を備え、そのうちの第１ブランチ４７は、ウィング４３と４４との間でベース４０の平面に長手方向に延びている。クリート４１は、脆弱ブリッジ４２ａ〜４２ｄの２つの平行なシリーズ４２により、両側がウィング４３および４４に接続されている。
【００６９】
　第２ブランチ４８は、第１ブランチ４７と平行に延び、かつ垂直に位置し、ケーシング２から離間したベース４０の平面から突出する湾曲したコア４９により、第２ブランチ４８は、第１ブランチ４７に接続されている。
【００７０】
　この第２ブランチ４８には、ネジを貫通させるための孔５０が穿設されており、ネジはシャーシに係合し、シャーシへのクリート２２の固定を補強するようになっている。
【００７１】
　図８および図９から判るように、ケーシング２の上方壁５１には、固定部品３９が取り付けられている。レール４５と４６との間にベース４０が嵌合されいる。このベースは、ガラスシールド５が設けられたスカート５４を入れ子嵌合するような形状のケーシング２の前方エッジ５３によって形成された横方向停止表面５２に当接している。
【００７２】
　図８および図９から更に判るように、２つのリブ５６、５７によって形成されたピボットリンク５５により、固定部品３９と反対側で、シャーシ６にケーシング２が関節取り付けされている。２つのリブのうちの一方５６は、ケーシング２の下方壁５８上から突出しており、他方のリブ５７は、シャーシ６から突出している。これらのリブ５５、５７は、これらのリブを協働して貫通する横断ピン５９により回転するように相互に協働する。
【００７３】
　ヘッドライト１が衝撃を受けない限り、固定部品３９は、ヘッドライトの無傷性を維持し、シャーシ６へのケーシング２の剛性保持を保証する。
【００７４】
　互いに離間するように働くクリート４１とベース４０により、脆弱ブリッジ４２ａ〜４２ｄに加えられるけん引力が、脆弱ブリッジ４２ａ〜４２ｄの断面によって決まる所定のしきい値を越えない限り、このような状況が維持される。
【００７５】
　ヘッドライト１に衝撃が加えられる間、ケーシング２は、関節接続ピン５９を中心に枢動するように働く、障害物によって生じた圧力により後退する。更に、この運動中、ベース４０がケーシング２に付随する間、クリート４１は、シャーシ６に取り付けられたままである。
【００７６】
　衝撃の際に、第１脆弱ブリッジ４２ａに加えられるけん引力が所定のスレッショルド値を越えるとすぐに、第１脆弱ブリッジ４２ａは破壊される。この破断は、衝撃エネルギーの少なくとも一部を吸収する（図９）。
【００７７】
　残留エネルギーが十分である場合、衝撃全エネルギーが吸収されるまで、またはすべての脆弱ブリッジ４２ａ〜４２ｄが破壊されるまで、脆弱ブリッジ４２ｂ〜４２ｄにおいて、順次この状況が再び生じ、クリート４１は、徐々にベース４０から外れる。
【００７８】
　再び離散的にシャーシ６に対するヘッドライト１の後退が生じる。
【００７９】
　ピボットリンク５５によってシャーシ６に対しケーシング２が正確にガイドされることにより、脆弱ブリッジの２つの平行なシリーズ４２に加えられるけん引力を均一に分散し、衝撃エネルギーを最適に吸収することが可能となる。
【００８０】
　上記最初の２つの実施例と同じように、固定部材３９の脆弱ブリッジ４２ａ〜４２ｄの数を変えることにより、リンク手段７のエネルギー吸収能力を調節することができる。
【００８１】
　更に、部品３９が正しく機能できるようにするには、部品３９の近くのケーシング２の破壊的負荷力が、部品３９の破壊的負荷力よりも大きくなるように注意しなければならない。（例えば、ケーシングの内側壁または外側壁上のリブにより、または例えばリブによって補強されたランナーを使用することにより）例えば部品３９の固定ゾーン内で、ケーシング２を補強することができる。
【００８２】
　上記実施例によれば、ヘッドライト１の下に位置するピンを中心に枢動できるように、ヘッドライト１が取り付けられているが、ヘッドライト１が反対方向に枢動するように、固定手段７の位置およびこの回転中の位置を逆にすることも可能である。歩行者に対する衝撃を吸収する場合に衝撃を良好に減衰するよう、特に自動の高さに応じて、これら２つの取り付け方法を選択できる。
【００８３】
　図１４は、図７に示された引き裂き可能なリンククリートの変形実施例を示す。この図には、一連の脆弱ブリッジ４２ａ’、４２ｄ’が示されているが、クリート４１の一部の復帰／広がり運動がなくても、この固定クリートにかかるけん引力が、両端の一方に加わるようになっている。これら脆弱ブリッジは、より狭い横断面のゾーン７０ａ、７０ｂ、７０ｃを含むことが好ましい。
【００８４】
　これらのゾーンは、シャーシに対するケーシングの後退運動によって加えられるけん引力の作用により衝撃を受けて、次から次に破壊するゾーンとなっている。従って、１つのゾーンは、中間部分に広い隙間を有する材料のストリップを備える引き裂き可能なクリートを有し、脆弱ブリッジの２つの平行なシリーズを構成している。これらの隙間は、種々の幾何学的形状、例えば正方形、長方形、円形、楕円形となる。図７に示されているようなクリートの種々の形状を使用できる。
【００８５】
　図１５は、図７に記載されているような引き裂き可能なリンククリートの別の変形実施例を示す。図は、より簡潔にするために、引き裂き可能なクリートの半分しか示していない。従って、完全なクリートは、部分４１’の別の半分と、中間部分４１’に対して部分４０’と対称的な部分４０”も含んでいる。
【００８６】
　この実施例では、連続的に破壊される脆弱ブリッジは設けられていないが、２つのノッチ４２’に沿って次々に引き裂かれるノッチが設けられている（クリートの長手方向の半分しか示されていないので、１つのノッチしか示されていない）。
【００８７】
　本明細書は、「ノッチ」なる用語は、ラインに沿って材料の厚さを局部的に薄くすることを意味している。従って、このラインに沿ったクリートの断面は、例えばＶ字形状をした厚さの薄い部分を示す。この厚さは、（Ｖ字の先端部、すなわち正確には厚みが最も薄い部分で測定した）ノッチゾーンである。この厚さは、クリートの厚さの約１０〜８０％、特にクリートの厚さの３０〜６０％の間と見なすことができる。
【００８８】
　当然ながら、Ｖ字ではなく、例えばＵ字形、または丸い形状、または底部が平らな溝の形状のノッチ断面を選択することも可能である。
【００８９】
　これまで説明した引き裂き可能なクリートを使用したメガン（Megane(メーカー・ルノー社)）タイプの自動車用ヘッドライトについて試験を実行した。この測定の目的は、歩行者への衝撃に関する欧州命令草案第70/156/EECに記載された基準を計算することであり、この基準は頭部衝撃基準、すなわちＨＩＣと称されている。
【００９０】
　この測定モードは、次のとおりである。自動車のシャーシを、シミュレートした固定ジグにヘッドライトを取り付ける垂直ドロップウェルから、ヘッドライトに突出したインパクタを使用する。ヘッドライトは、インパクタがヘッドライトに接触した際に、ヘッドライトに適当な角度で衝突するように、ヘッドライトは命令内で定められた適当な角度でジグに固定されている。
【００９１】
　インパクタは、子どもの頭部、例えば直径が１６５ｍｍの３.５ｋｇの球体をシミュレートしており、このインパクタは、減速度の測定値をログする内部加速計を備えている。この測定値から、負荷曲線を推定することができ、ＨＩＣ値を決定できる。このＨＩＣ値が小さくなればなるほど、歩行者に対する保護度も良好となる。
【００９２】
　試験第１号
　この試験は、比較試験であり、標準的な固定具、すなわち、ジグにネジ留めした固定クリートを用いて、ジグにヘッドライトを固定した。
【００９３】
　試験第２号
　この試験は、本発明に係わる試験であり、図７、図８および図９に示すような固定クリートを用いて、ジグにヘッドライトを固定した。図７のクリートに対して若干の変形を行った。すなわち、脆弱ブリッジの高さにある孔は、断面が正方形ではなく円形であり、ネジ留めによる取り付けを容易にする垂直増設壁だけ、部品４８の端部が延びている。部品４３、４４は、レールにより固定されていないが、レールの長手方向に沿って分散されたネジによって固定されている。
【００９４】
　このクリートはステンレススチール製であり、その長さは約４５ｍｍ、各レール４４、４３の幅は約８ｍｍ、元の方向に折り曲げられた中間部品４１の幅は約２０ｍｍ、ゾーン４９の高さにおけるその曲率半径は約５ｍｍである。クリートの厚さは約１ｍｍである。
【００９５】
　図１６は、衝撃後のこの試験に係わるクリートを示す写真である。従って、クリートは引き裂かれておらず、すべての脆弱ブリッジは、次から次に破壊されていた。
【００９６】
　試験第３号
　この試験は、本発明に係わる試験である。試験第２号に係わるクリートに対するのと同じように、ネジ留めにより、ノッチ付きクリートによってジグにヘッドライトを固定した。試験第３号に係わるクリートは、図１５を満たす。側方部分および中間部分の寸法は、試験第２号に係わるクリートの寸法に同様または同一であり、ノッチは、Ｖ字形の断面を有し、１ｍｍのクリートの厚さに対して、０.５ｍｍの最大厚さを有する。このクリートは、試験第２号の材料と同様に、ステンレススチールから製造されている。
【００９７】
　図１７には、これらの試験の結果が示されている。縦軸には、ＨＩＣが示されて、横軸には試験番号が示されている。
【００９８】
　本発明に係わる引き裂き可能なクリートによって、単にネジにネジ留めされただけの比較用ヘッドライトのＨＩＣは、３分の１から２分の１に低減できることが理解できると思う。実際に、開始時のＨＩＣ値は、ヘッドライトごとに変化している。その理由は、一旦自動車の前方に取り付けられると、ＨＩＣ値は、ヘッドライトの幾何学的形状、その位置、高さに応じて決まるからである。
【００９９】
　本発明によれば、ヘッドライトの形状を再考慮しなくても、従来の固定具を用いて、スタートするＨＩＣ値がどんな値であっても、ＨＩＣ値を、少なくとも２０〜３０％に小さくすることが可能である。このことは、工業上の見地から極めて重要である。この締結方法は、ヘッドライト全体を交換しなくても、市販後に取引される、既に道路上で使用されている自動車でも使用できる。
【０１００】
　破壊され、引き裂かれる、後述するようなリンククリートのすべては、プラスチックまたは金属、例えばステンレススチールから製造できることに留意すべきである。これらのリンクは、歩行者に対する衝撃を減衰させ、ヘッドライトの形状を完全に再考しなくても、衝撃中にヘッドライトを後退させることができるという大きな利点を有する。
【０１０１】
　更に衝撃を受けた場合、ヘッドライト全体を交換しないで、このクリートを交換するだけでよい。ヘッドライトごとに、本発明に係わる１つ以上の引き裂き可能なクリートを使用することができ、一般にこれだけでよい。
【０１０２】
　特に、試験第２号および第３号の要旨をなす引き裂き可能なクリートの場合、ヘッドライトに中間部分を固定し、クリートの外側部分を、ジグ／自動車のシャーシに固定することができ、取り付け位置が３つ、すなわちヘッドライトに対して２つ、ジグに対して１つとなる。
【０１０３】
　図１０に示す第４実施例によれば、ケーシング２をシャーシ６にリンクする手段７は、自動車の機能部材６０を備えている。従って、ケーシング２が取り付けられているこの部材６０は、補助機能を果す。
【０１０４】
　この部材６０は、例えばエアフィルタ、または図１０に示されているようなスクリーンウォッシャー液タンクである。この部材６０には、変形し、次に破壊されることによって衝撃エネルギーを吸収する良好な能力を、その構造によって有している。
【０１０５】
　突出クリート６１により、この部材６０には、ヘッドライト１のケーシング２が直接固定されており、次に部材３９は、車両のシャーシ６に固定されている。
【０１０６】
　図１０から判るように、部材３９は、予備的スコアライン６２を設けることができる。この部材は、ヘッドライト１が受ける衝撃エネルギーが十分な時に、ケーシング２の支持のために、このラインに沿って所定の態様で破壊される。
【０１０７】
　図１１、図１２および図１３に３つの変形例がそれぞれ示されている第５実施例においては、リンク手段７は、固定クリート９’を備え、このクリートにより、シャーシ６に直接ヘッドライト１が取り付けられている。このクリート９’には、所定の破断ゾーン６３が設けられている。
【０１０８】
　固定クリート９’は、本例では溝状となっており、この溝は、ヘッドライト１が受ける十分な強度の前方の衝撃の間に破壊され得るようになっている。
【０１０９】
　破壊中、破断ゾーン６３は、衝撃エネルギーの少なくとも一部を吸収する。
【０１１０】
　当然ながら、溝６３の横断面または深さを変え、衝撃エネルギーを吸収する能力を調節することが可能である。
【０１１１】
　しかし、衝撃の強度が破断ゾーン６３の吸収能力よりも大きい時は、残留エネルギーの少なくとも一部を吸収する必要がある。
【０１１２】
　その理由は、ケーシング２とシャーシ６との間に圧縮可能な部材６４が挟持されるからである。ここで圧縮部材は、図１１に示すように、シャーシ６と反対のケーシング２の面のすべて、または一部をカバーする（１つ以上の部品から成る）発泡材料製のブロックである。従って、この変形例では、脆弱固定クリートによって吸収されるのは、衝撃エネルギーの（小さい）部分だけであり、残りのエネルギーは、圧縮要素（単数または複数）によって吸収される。
【０１１３】
　この圧縮部材６４は、ポリウレタン発泡体から製造することが好ましい。例えば６６ｋｇ／ｍ3の密度を有し、ブランド名BAYFILL(商標)または参照符号PU62IF70としてバイエル社により、または例えば４４ｋｇ／ｍ3の密度を有し、ブランド名STRANDFOAM(商標)としてダウケミカル社によって市販されているタイプのポリウレタン発泡体が適当である。金属（アルミニウム）発泡体を使用することも可能である。
【０１１４】
　従って、破壊されたクリート９’が、全衝撃エネルギーを吸収できない時の強烈な衝撃を受けている間でも、部材６４は、このエネルギーの吸収を補助し、特に歩行者が衝突の犠牲となる時に、歩行者が受ける体への損傷を制限する。
【０１１５】
　第１変形例によれば、図１１に示すように、圧縮部材６４を追加できる。しかし、図１２および図１３にそれぞれ示されている第２変形例および第３変形例によれば、ケーシング２の上に圧縮可能な部材６４を重ね成形してもよい。
【０１１６】
　第２変形例によれば、圧縮可能な部材６４内に固定クリート９’が埋め込まれ、ケーシング２の近くでも剛性を高めると共に、破断ゾーン６３内に応力を局所化することができる。
【０１１７】
　第３変形例によれば、圧縮部材６４でも、ヘッドライト１の内部容積にさえも侵入する。より詳細には、この部材は、（特にケーシングの背面および可能な場合には側面のすべてまたは一部に対して）ケーシング２と反射器４との間に走行する部分６５となっている。従って、衝撃を受ける場合に圧縮可能な部材６４は、ケーシング２の後退を減衰するが、衝撃力が反射器４のへこみを生じさせるのに十分強力であるか、または十分に局部的である時には、圧縮部材６４もケーシング２の後退を減衰する。
【０１１８】
　従って、どの実施例を選択しても、リンク手段７のレイアウトによって、ヘッドライト１の嵩を制限しながら、ヘッドライト１が受ける衝撃エネルギーを吸収するための良好な能力を保証し、自動車メーカーのコンパクトにしたいという要求を満足できる。
【０１１９】
　このような発泡体状の圧縮可能な要素を、ヘッドライトの内部にも導入できる。
【０１２０】
　更にヘッドライト１は、全体の構造を完全に変更することなく、深刻な損傷の恐れを大幅に低くした、歩行者の安全性の利点に受動的安全性に関する要求のある規格を合わせることができる。上記リンク手段は、従来のヘッドライトに容易に接合できる。
【０１２１】
　更に、ヘッドライト１が受ける衝撃が、リンク手段７しか破壊せず、ヘッドライト１の他の部品が無傷のままである時には、他の部品を操作することなく、リンク手段７を交換するだけでよいので、ヘッドライト１に対する作業を制限し、修理のコストを下げることができる。
【０１２２】
　従って、本発明には、衝撃時に歩行者を最良に保護でき、特に歩行者に対する衝撃に関する欧州草案命令第70/156/EECに記載の条件を満たすことができる、ヘッドライトが設けられた任意の自動車に適用できる。
【図面の簡単な説明】
【０１２３】
【図１】脆弱手段がヘッドライトにおける衝撃の作用により順次破壊される一連のカラーが設けられた補強部を備える第１実施例である、自動車のシャーシにケーシングをリンクする脆弱手段が設けられた、自動車のヘッドライトの側断面図である。
【図２】補強部が、ヘッドライトのケーシングとシャーシとの間に挟持された、まだ無傷状態にある、図１のヘッドライトを部分的に示す詳細側断面図である。
【図３】衝撃を受ける際にケーシングが補強部のカラーを順次破壊する、衝撃の際のヘッドライトを示す、図２と類似する図である。
【図４】ヘッドライトが衝撃を受ける間に、順次ストッパーを破壊できる移動自在なクリートが取り付けられたランナーとして延びている１列のストッパーを脆弱手段が備えた、第２実施例であるシャーシにリンクする脆弱手段が設けられたヘッドライトを示す、一部を断面図にした斜視図でらう。
【図５】断面Ｖ−Ｖにおける図４のヘッドライトの部分側断面図である。
【図６】衝撃の際にストッパーを順次破壊する移動自在なクリートの端部における衝撃の際のヘッドライトを示す、図５に類似する図である。
【図７】脆弱手段が引き裂き可能な固定部材を備える第３実施例であるヘッドライトのケーシングをシャーシにリンクする、脆弱手段が設けられたヘッドライトを示す、一部を断面した斜視図である。
【図８】図７のヘッドライトの側断面図である。
【図９】ケーシングをシャーシに固定するための部材の引き裂きを生じさせる衝撃の際のヘッドライトを示す、図８に類似する図である。
【図１０】機能部材により、自動車のシャーシに取り付けられたヘッドライトを示す斜視図である。
【図１１】第５実施例に係わる、自動車のシャーシにケーシングをリンクする脆弱手段が設けられた、自動車のヘッドライトの側断面図である。
【図１１Ａ】図１１における円形部１１Ａの拡大側断面図である。
【図１１Ｂ】図１１における円形部１１Ｂの拡大側断面図である。
【図１２】第５実施例の変形例を示す、自動車のヘッドライトの側断面図である。
【図１３】第５実施例の、第３変形例を示す、自動車のヘッドライトの側断面図である。
【図１４】図７に示された引き裂き可能なリンククリートの変形実施例を示す。
【図１５】試験第３号で使用されたクリートを示す斜視図である。
【図１６】衝撃後のこの試験に係わるクリートを示す写真である。
【図１７】本発明に係わるヘッドライトの試験の結果を示し、縦軸にはＨＩＣが示されており、横軸には試験番号が示されたグラフであり衝撃を受ける際にケーシングが補強部のカラーを順次破壊する、衝撃の際のヘッドライトを示す、図２に類似する図である。
【符号の説明】
【０１２４】
　１　　ヘッドライト
　２　　ケーシング
　３　　光源
　４　　反射器
　５　　ガラスシールド
　６　　シャーシ
　７　　リンク手段
　８　　補強部
　９　　クリート
　１０　孔
　１１　ネジ
　１２　ヘッド
　１３　ワッシャー
　１４　ナット
　１５　軸対称部品
　１６　シース
　１７　シャンク
　１８　端部部分
　１９　端部部分
　２０　中間部分
　２１ａ、２１ｂ、２１ｃ　カラー
　２２　クリート
　２３　ベース
　２４、２５　ブランチ
　２６　コア
　２７　クリート端部
　２９、３０　リブ
　３１ａ、３１ｂ、３１ｃ、３１ｄ　仕切板
　３２、３３　レール
　３４、３５　セットバック
　３６　ランナー
　３７　ハウジング
　３９　固定部材
　４０　ベース部分
　４１　クリート
　４２ａ〜４２ｄ　脆弱ブリッジ
　５９　ピン
　７０ａ、７０ｂ、７０ｃ　ゾーン
　４２’　ノッチ
　４３、４４　部品
　４８　部品
　４９　ゾーン
　６０　機能部材
　６４　圧縮部材
【図１】
2004115007.tif 000003
【図２】
2004115007.tif 000004
【図３】
2004115007.tif 000005
【図４】
2004115007.tif 000006
【図５】
2004115007.tif 000007
【図６】
2004115007.tif 000008
【図７】
2004115007.tif 000009
【図８】
2004115007.tif 000010
【図９】
2004115007.tif 000011
【図１０】
2004115007.tif 000012
【図１１】
2004115007.tif 000013
【図１１Ａ】
2004115007.tif 000014
【図１１Ｂ】
2004115007.tif 000015
【図１２】
2004115007.tif 000016
【図１３】
2004115007.tif 000017
【図１４】
2004115007.tif 000018
【図１５】
2004115007.tif 000019
【図１６】
2004115007.tif 000020
【図１７】
2004115007.tif 000021